(57)【要約】【課題】交流電源に接続する電気機器の保護システムに係り、所定電圧を超える交流電源に接続された場合、交流電源電圧を電気機器に印加しないようにして電気機器の損傷を防止する交流電源に接続する電気機器の保護システム。【解決手段】交流入力端子（ＣＮ１−Ａ、ＣＮ１−Ｂ）と、交流出力端子（ＣＮ２−Ａ、ＣＮ２−Ｂ）と、整流平滑部１０と、高電圧検知部１１と、遅延部１２と、駆動部１３と、スイッチ部１４とからなる保護装置１を備えた交流電源に接続する電気機器の保護システム。【選択図】　　　　図１
0003098863.tif 000002
【実用新案登録請求の範囲】
【請求項１】
交流電源から給電される電気機器を保護する保護システムであって、
前記交流電源から交流入力端子に印加された交流電圧を整流し平滑化する整流平滑部と、前記整流平滑部で生成される平滑電圧に基づいて所定の電圧を超える前記交流電圧を検知する高電圧検知部と、前記平滑電圧および前記高電圧検知部で生成される検知信号に基づいて遅延信号を生成する遅延部と、前記遅延信号に基づいて駆動信号を生成する駆動部と、前記駆動信号に基づいて前記交流入力端子と前記電気機器に給電するための交流出力端子とを接続するか否かを制御するスイッチ部とから構成された保護装置を備えたことを特徴とする交流電源に接続する電気機器の保護システム。
【請求項２】
前記スイッチ部がソリッドステイトリレー（ＳＳＲ）を備えたことを特徴とする請求項１に記載の交流電源に接続する電気機器の保護システム。
【請求項３】
前記スイッチ部が電磁リレーを備えたことを特徴とする請求項１に記載の交流電源に接続する電気機器の保護システム。
【請求項４】
前記保護装置は、前記整流平滑部に１つの交流入出力端子を有する整流手段を２つ備え、一方の前記交流入出力端子に前記交流電圧を印加すると、他方の前記交流入出力端子を前記スイッチ部によって一方の前記交流入出力端子と接続するか否かを制御することができることを特徴とする請求項１に記載の交流電源に接続する電気機器の保護システム。
【請求項５】
交流電源から給電されるセット電源回路ブロックと機器回路ブロックとからなる電気機器を保護する保護システムであって、
前記交流電源から印加された交流電圧を整流し平滑化する整流平滑部と、前記整流平滑部で生成される平滑電圧に基づいて所定の電圧を超える前記交流電圧を検知する高電圧検知部と、前記平滑電圧および前記高電圧検知部で生成される検知信号に基づいて遅延信号を生成する遅延部と、前記遅延信号に基づいて駆動信号を生成する駆動部と、前記駆動信号に基づいて前記交流電圧を前記電気機器に給電するか否かを制御するスイッチ部とから構成された保護装置を、前記電気機器の外部にアダプタとして備えたことを特徴とする交流電源に接続する電気機器の保護システム。
【請求項６】
前記保護装置を前記電気機器の内部に備えたことを特徴とする請求項５に記載の交流電源に接続する電気機器の保護システム。
【考案の詳細な説明】
【０００１】
【考案の属する技術分野】
本考案は、交流電源に接続する電気機器の保護システムに係り、所定電圧を超える交流電源に接続された場合、交流電源電圧を電気機器に印加しないようにして電気機器の損傷を防止する交流電源に接続する電気機器の保護システムに関する。
【０００２】
【従来の技術】
本考案に近い従来例として図９に交流電源に接続する電気機器の保護システムの概略構成図を示し、図９に基づいて従来例としての交流電源に接続する電気機器の保護システムについて説明する。
図９において、交流電源に接続する電気機器の保護システム４は、差込プラグ４１と、電源コード４２と、電気機器４３とを備える。
【０００３】
一般に電気機器４３は、差込プラグ４１および電源コード４２を介して交流電源から給電される。
電気機器４３はセット電源回路ブロック４４と、機器回路ブロック４５とからなり、電気機器４３を保護する保護手段はセット電源回路ブロック４４内にある。
保護手段は機器内における漏れ電流、炎、煙、過熱および異常圧力等を検出し、電気機器４３を交流電源からの給電を遮断して電気機器４３の損傷、破壊を防止する。
【０００４】
【考案が解決しようとする課題】
しかしながら、従来の交流電源に接続する電気機器の保護システム４には、電気機器４３に何らかの異常が発生し、発生した異常を検出して電気機器４３を交流電源かの切り離しを行うため、既に電気機器４３には損傷、破壊の影響を受けてしまうという課題がある。
【０００５】
現在、遊戯機器の交流電源電圧は１００（Ｖ）または２４（Ｖ）に分極化されており、遊戯メーカーの選択に任されている。
遊戯機器を設置する際、交流電源電圧２４（Ｖ）の機器に誤って交流電源電圧１００（Ｖ）に接続して機器を損傷、破壊する事故が多い。
【０００６】
本考案は、上記した従来技術の課題を解決するためになされたものであって、その目的は、電気機器、特に遊戯機器に所定の交流電圧２４（Ｖ）を超える交流電源電圧１００（Ｖ）が印加された場合、遊戯機器に交流電源電圧１００（Ｖ）を印加することなく交流電源との切り離しを行い、遊戯機器の損傷、破壊を防止することの出来る交流電源に接続する電気機器の保護システムを提供することにある。
【０００７】
【課題を解決するための手段】
上記課題を解決するために本考案に係る交流電源に接続する電気機器の保護システムは、交流電源から交流入力端子に印加された交流電圧を整流し平滑化する整流平滑部と、整流平滑部で生成される平滑電圧に基づいて所定の電圧を超える交流電圧を検知する高電圧検知部と、平滑電圧および高電圧検知部で生成される検知信号に基づいて遅延信号を生成する遅延部と、遅延信号に基づいて駆動信号を生成する駆動部と、駆動信号に基づいて交流入力端子と電気機器に給電するための交流出力端子とを接続するか否かを制御するスイッチ部とから構成された保護装置を備えたので、交流入力端子に所定電圧を超える交流電源が接続された場合に交流出力端子を交流入力端子から切り離して電気機器の損傷、破壊を防止することができる。
【０００８】
また、本考案に係る交流電源に接続する電気機器の保護システムはスイッチ部にソリッドステイトリレー（ＳＳＲ）を備えたので、本システムの小型化および長寿命化ができ、またスイッチ部のオン／オフ動作時のチャタリングを防止して電気機器の誤動作を防ぐことができ、さらに交流入力端子に所定電圧を超える交流電源が接続された場合に交流出力端子を交流入力端子から切り離して電気機器の損傷、破壊を防止することができる。
【０００９】
さらに、本考案に係る交流電源に接続する電気機器の保護システムはスイッチ部に電磁リレーを備えたので、大電流時の発熱を少なく抑えることができ、交流入力端子に所定電圧を超える交流電源が接続された場合に交流出力端子を交流入力端子から切り離して電気機器の損傷、破壊を防止することができる。
【００１０】
また、本考案に係る交流電源に接続する電気機器の保護システムは、保護装置に整流平滑部に１つの交流入出力端子を有する整流手段を２つ備えたので、一方の交流入出力端子に交流電圧を印加すると、他方の交流入出力端子をスイッチ部によって一方の交流入出力端子と接続するか否かを制御して交流電源または電気機器に接続することができ、また一方の交流入出力端子に所定電圧を超える交流電源が接続された場合に他方の交流入出力端子を一方の交流入力端子から切り離して電気機器の損傷、破壊を防止することができる。
【００１１】
さらに、本考案に係る交流電源に接続する電気機器の保護システムは、交流電源から印加された交流電圧を整流し平滑化する整流平滑部と、整流平滑部で生成される平滑電圧に基づいて所定の電圧を超える交流電圧を検知する高電圧検知部と、平滑電圧および高電圧検知部で生成される検知信号に基づいて遅延信号を生成する遅延部と、遅延信号に基づいて駆動信号を生成する駆動部と、駆動信号に基づいて交流電圧を電気機器に給電するか否かを制御するスイッチ部とから構成された保護装置を電気機器の外部にアダプタとして備えたので、既存の電気機器にも適用することができ、差込プラグが所定電圧を超える交流電源に差し込まれた場合に既存の電気機器の損傷および破壊を防止することができる。
【００１２】
さらに、本考案に係る交流電源に接続する電気機器の保護システムは、保護装置を電気機器の内部に備えたので、本システムの小型化ができ、差込プラグが所定電圧を超える交流電源に差し込まれた場合に電気機器の損傷、破壊を防止することができる。
【００１３】
【考案の実施の形態】
図１に本考案に係る交流電源に接続する電気機器の保護システムの保護装置の要部ブロック構成図を示す。
図２に本考案に係る交流電源に接続する電気機器の保護システムの保護装置１の要部ブロック構成図の動作説明図を示す。
図３に本考案に係る交流電源に接続する電気機器の保護システムの保護装置１Ａの回路構成図を示す。
図４に本考案に係る交流電源に接続する電気機器の保護システムの保護装置１Ａの回路構成図の動作説明図を示す。
図５に本考案に係る交流電源に接続する電気機器の保護システムの保護装置１Ｂの回路構成図を示す。
図６に本考案に係る交流電源に接続する電気機器の保護システムの保護装置１Ｃの回路構成図を示す。
図７に本考案に係る交流電源に接続する電気機器の保護システム２の概略構成図を示す。
図８に本考案に係る交流電源に接続する電気機器の保護システム３の概略構成図を示す。
【００１４】
【実施例】
本考案の一実施例を添付図面に基づいて説明する。
図１は本考案に係る交流電源に接続する電気機器の保護システムの保護装置の要部ブロック構成図である。
図１において、保護装置１は交流入力端子（ＣＮ１−Ａ、ＣＮ１−Ｂ）と、交流出力端子（ＣＮ２−Ａ、ＣＮ２−Ｂ）と、整流平滑部１０と、高電圧検知部１１と、遅延部１２と、駆動部１３と、スイッチ部１４とを備えている。
【００１５】
交流入力端子（ＣＮ１−Ａ、ＣＮ１−Ｂ）は交流電源と接続され、整流平滑部１０は交流入力端子（ＣＮ１−Ａ、ＣＮ１−Ｂ）に印加された交流電源電圧を整流して平滑化し、平滑電圧Ｓ１を生成し、平滑電圧Ｓ１を高電圧検知部１１と遅延部１２に出力する。
【００１６】
高電圧検知部１１は平滑電圧Ｓ１に基づいて交流入力端子（ＣＮ１−Ａ、ＣＮ１−Ｂ）に印加された交流電源電圧が所定電圧を超えているか否かを検知して検知信号Ｓ２を生成し、検知信号Ｓ２を遅延部１２に出力する。
【００１７】
遅延部１２は平滑電圧Ｓ１と検知信号Ｓ２とに基づいて交流電源電圧が交流入力端子（ＣＮ１−Ａ、ＣＮ１−Ｂ）に印加された時から一定時間遅れた遅延信号Ｓ３を生成し、遅延信号Ｓ３を駆動部１３に出力する。
駆動部１３は遅延信号Ｓ３に基づいて駆動信号Ｓ４を生成し、駆動信号Ｓ４をスイッチ部１４に出力する。
【００１８】
スイッチ部１４は遅延信号Ｓ３に基づいて交流入力端子（ＣＮ１−Ａ、ＣＮ１−Ｂ）に印加された交流電源電圧が所定電圧を超えている場合、交流入力端子（ＣＮ１−Ａ）と交流出力端子（ＣＮ２−Ａ）との電気的に遮断する。
【００１９】
この様に保護装置１は、交流入力端子（ＣＮ１−Ａ、ＣＮ１−Ｂ）に交流電源電圧が印加され、交流出力端子（ＣＮ２−Ａ、ＣＮ２−Ｂ）が電気機器に接続された状態において、交流入力端子（ＣＮ１−Ａ、ＣＮ１−Ｂ）に印加された交流電源電圧が所定電圧であれば交流入力端子（ＣＮ１−Ａ、ＣＮ１−Ｂ）に印加された交流電源電圧を電気機器に印加され、交流入力端子（ＣＮ１−Ａ、ＣＮ１−Ｂ）に印加された交流電源電圧が所定電圧を超えていれば交流入力端子（ＣＮ１−Ａ、ＣＮ１−Ｂ）に印加された交流電源電圧を電気機器に印加せず電気機器の損傷、破壊を防止することができる。
【００２０】
図２は本考案に係る交流電源に接続する電気機器の保護システムの保護装置１の要部ブロック構成図の動作説明図である。
図２において、平滑電圧Ｓ１（２４Ｖ）は交流入力端子（ＣＮ１−Ａ、ＣＮ１−Ｂ）に所定電圧の交流電源電圧２４（Ｖ）が印加された場合の整流平滑部の出力波形であり、平滑電圧Ｓ１（１００Ｖ）は交流入力端子（ＣＮ１−Ａ、ＣＮ１−Ｂ）に所定電圧を超えた交流電源電圧１００（Ｖ）が印加された場合の整流平滑部の出力波形である。
【００２１】
検知電圧Ｖｄ（Ｖ）は高電圧検知部１１内にある高電圧を検知するための基準電圧である。
高電圧検知部１１は検知電圧Ｖｄ（Ｖ）と比較し、平滑電圧Ｓ１（２４Ｖ）が検知電圧Ｖｄ（Ｖ）より小さいと検知して検知信号Ｓ２を遅延部１２に出力する。
【００２２】
遅延部１２は平滑電圧Ｓ１（２４Ｖ）と検知信号Ｓ２とに基づいて遅延時間Ｔｓ（Ｓ）時に遅延信号Ｓ３を生成して駆動部１３に出力する。
駆動部１３は遅延信号Ｓ３に基づいて駆動信号Ｓ４を生成してスイッチ部１４に出力する。
スイッチ部１４は駆動信号Ｓ４に基づいて遅延時間Ｔｓ（Ｓ）時に閉じて交流入力端子（ＣＮ１−Ａ、ＣＮ１−Ｂ）に接続された交流電源電圧２４（Ｖ）を交流出力端子（ＣＮ２−Ａ、ＣＮ２−Ｂ）に接続された電気機器に供給する。
【００２３】
一方、平滑電圧Ｓ１（１００Ｖ）の場合は、高電圧検知部１１で検知電圧Ｖｄ（Ｖ）と比較され、交流入力端子（ＣＮ１−Ａ、ＣＮ１−Ｂ）に交流電源電圧が印加されてからの経過時間Ｔｄ（Ｓ）時点で検知電圧Ｖｄ（Ｖ）達し、経過時間Ｔｄ（Ｓ）以降では検知電圧Ｖｄ（Ｖ）より大きいと検知される。
この結果、平滑電圧Ｓ１（１００Ｖ）の場合、スイッチ部１４は開いたままで、交流入力端子（ＣＮ１−Ａ）と交流出力端子（ＣＮ２−Ａ）は電気的に遮断されたままであり、交流入力端子（ＣＮ１−Ａ、ＣＮ１−Ｂ）に接続された交流電源電圧１００（Ｖ）を交流出力端子（ＣＮ２−Ａ、ＣＮ２−Ｂ）に接続された電気機器に供給しない。
【００２４】
図３は本考案に係る交流電源に接続する電気機器の保護システムの保護装置１Ａの回路構成図である。
図４に示す保護システムの保護装置１Ａの動作説明図を参照して図３の保護システムの保護装置１Ａの回路構成図の動作を説明する。
図３において保護装置１Ａは、交流入力端子ＣＮ１と、交流出力端子ＣＮ２と、整流素子Ｄ１、過電流防止抵抗Ｒ５、平滑用コンデンサＣ１からなる整流平滑部１０と、ゼナーダイオードＤ２、ゼナー電流制限抵抗Ｒ１、ノイズ対策用コンデンサＣ２、コンデンサ放電用抵抗Ｒ２、トランジスタＱ１からなる高電圧検知部１１と、コンデンサ充電用抵抗Ｒ３、コンデンサ放電用抵抗Ｒ４、遅延用コンデンサＣ３からなる遅延部１２と、ソリッドステイトリレーＳＳＲを駆動するトランジスタＱ２からなる駆動部１３と、電源ラインをオン／オフするソリッドステイトリレーＳＳＲからなるスイッチ部１４Ａとを備えている。
【００２５】
整流平滑部１０は、交流入力端子ＣＮ１に印加された交流電源電圧を整流素子Ｄ１で整流し、平滑用コンデンサＣ１で平滑して平滑電圧Ｓ１を生成して高電圧検知部１１のゼナーダイオードＤ２のカソードとコンデンサ充電用抵抗Ｒ３とに加える。
ゼナーダイオードＤ２のゼナー電圧が検知電圧Ｖｄである。
【００２６】
この平滑電圧Ｓ１が検知電圧Ｖｄより低ければ、検知信号Ｓ２出力用のトランジスタＱ１のベース電流Ｉｂ１は発生せず、トランジスタＱ１はカットオフの状態を保持し、検知信号Ｓ２を遅延部１２に出力する。
遅延部１２は平滑電圧Ｓ１と検知信号Ｓ２とに基づいて、コンデンサ充電用抵抗Ｒ３とコンデンサ放電用抵抗Ｒ４とを介して遅延用コンデンサＣ３の充電放電を制御して遅延信号Ｓ３を生成し、駆動部１３に出力する。
【００２７】
交流入力端子ＣＮ１に交流電源電圧２４（Ｖ）が印加された場合、平滑電圧Ｓ１（２４Ｖ）は検知電圧Ｖｄより低く、検知信号Ｓ２出力用のトランジスタＱ１のベース電流Ｉｂ１は発生せず、トランジスタＱ１はカットオフの状態を保持し、このカットオフ状態を検知信号Ｓ２として遅延部１２に出力する。
遅延部１２の遅延用コンデンサＣ３は平滑電圧Ｓ１（２４Ｖ）によりコンデンサ充電用抵抗Ｒ３とコンデンサ放電用抵抗Ｒ４を介して充電され、この充電電圧を遅延信号Ｓ３として駆動部１３に出力する。
【００２８】
遅延信号Ｓ３は経過時間と共に上昇し、遅延時間Ｔｓ（２４）（ｓｅｃ）以降に駆動部１３のトランジスタＱ２を導通状態にし、トランジスタＱ２のコレクタより駆動信号Ｓ４をスイッチ部１４Ａに出力する。
スイッチ部１４ＡのソリッドステイトリレーＳＳＲは、駆動信号Ｓ４によってオン駆動されて導通状態となり、交流出力端子ＣＮ２に交流入力端子ＣＮ１に印加された交流電源電圧２４（Ｖ）が供給される。
交流入力端子ＣＮ１に交流電源電圧１００（Ｖ）が印加された場合、平滑電圧Ｓ１（１００Ｖ）は時間Ｔｄ（ｓｅｃ）以降に検知電圧Ｖｄを超えてゼナーダイオードＤ２にゼナー電流Ｉｚを流す。
検知信号Ｓ２出力用のトランジスタＱ１は、バイアスされてベース電流Ｉｂ１が流れ、時間Ｔｄ（ｓｅｃ）以降、導通状態となり、コレクタより検知信号Ｓ２を遅延部１２に出力する。
【００２９】
遅延部１２は、約零（０Ｖ）の検知信号Ｓ２に基づいて平滑電圧Ｓ１（１００Ｖ）によりコンデンサ充電用抵抗Ｒ３とコンデンサ放電用抵抗Ｒ４を介して遅延用コンデンサＣ３に充電された充電電圧を急速に放電して約零（０Ｖ）に維持し、この約零（０Ｖ）の電位を遅延信号Ｓ３として駆動部１３のトランジスタＱ２のベースに出力する。
駆動部１３はトランジスタＱ２のベースに入力された約零（０Ｖ）の遅延信号Ｓ３によってカットオフ状態に維持され、スイッチ部１４ＡのソリッドステイトリレーＳＳＲはオフ駆動されて遮断状態となり、交流出力端子ＣＮ２に交流入力端子ＣＮ１に印加された交流電源電圧１００（Ｖ）を供給しない。
【００３０】
図５は保護装置１Ｂのスイッチ部１４Ｂに電磁リレーを使用したもであり、図６は保護装置１Ｃの整流平滑部に１つの交流入出力端子を有する整流手段を２つ備え、一方の交流入出力端子に交流電圧を印加すると、他方の交流入出力端子をスイッチ部によって一方の交流入出力端子と接続するか否かを制御して交流電源または電気機器に接続することができるものである。
図７、図８は本交流電源に接続する電気機器の保護システムの使用形態を示したものである。
【００３１】
なお、上記実施形態は本考案の一実施例であり、本考案は上記実施形態に限定されるものではない。
【００３２】
【考案の効果】
本考案は上記構成により次の効果を発揮する。
本考案に係る交流電源に接続する電気機器の保護システムは、交流電源から交流入力端子に印加された交流電圧を整流し平滑化する整流平滑部と、整流平滑部で生成される平滑電圧に基づいて所定の電圧を超える交流電圧を検知する高電圧検知部と、平滑電圧および高電圧検知部で生成される検知信号に基づいて遅延信号を生成する遅延部と、遅延信号に基づいて駆動信号を生成する駆動部と、駆動信号に基づいて交流入力端子と電気機器に給電するための交流出力端子とを接続するか否かを制御するスイッチ部とから構成された保護装置を備え、交流入力端子に所定電圧を超える交流電源が接続された場合、交流出力端子を交流入力端子から切り離して電気機器の損傷、破壊を防止することができるので、作業性の向上および経済化が望める。
【００３３】
また、本考案に係る交流電源に接続する電気機器の保護システムはスイッチ部にソリッドステイトリレー（ＳＳＲ）を備え、本システムの小型化および長寿命化ができ、またスイッチ部のオン／オフ動作時のチャタリングを防止して電気機器の誤動作を防ぐことができ、さらに交流入力端子に所定電圧を超える交流電源が接続された場合に交流出力端子を交流入力端子から切り離して電気機器の損傷、破壊を防止することができるので、商品性の向上が図れ、また経済化が望める。
【００３４】
さらに、本考案に係る交流電源に接続する電気機器の保護システムはスイッチ部に電磁リレーを備え、大電流時の発熱を少なく抑えることができ、交流入力端子に所定電圧を超える交流電源が接続された場合に交流出力端子を交流入力端子から切り離して電気機器の損傷、破壊を防止することができるので、商品性の向上が図れ、また経済化が望める。
【００３５】
また、本考案に係る交流電源に接続する電気機器の保護システムは、保護装置に整流平滑部に１つの交流入出力端子を有する整流手段を２つ備え、一方の交流入出力端子に交流電圧を印加すると、他方の交流入出力端子をスイッチ部によって一方の交流入出力端子と接続するか否かを制御して交流電源または電気機器に接続することができ、また一方の交流入出力端子に所定電圧を超える交流電源が接続された場合に他方の交流入出力端子を一方の交流入力端子から切り離して電気機器の損傷、破壊を防止し、結線ミスをなくすことができるので、作業性の向上および経済化が望める。
【００３６】
さらに、本考案に係る交流電源に接続する電気機器の保護システムは、交流電源から印加された交流電圧を整流し平滑化する整流平滑部と、整流平滑部で生成される平滑電圧に基づいて所定の電圧を超える交流電圧を検知する高電圧検知部と、平滑電圧および高電圧検知部で生成される検知信号に基づいて遅延信号を生成する遅延部と、遅延信号に基づいて駆動信号を生成する駆動部と、駆動信号に基づいて交流電圧を電気機器に給電するか否かを制御するスイッチ部とから構成された保護装置を、電気機器の外部にアダプタとして備え、差込プラグが所定電圧を超える交流電源に差し込まれた場合に既存の電気機器の損傷および破壊を防止することができるので、利便性の向上および経済化が望める。
【００３７】
さらに、本考案に係る交流電源に接続する電気機器の保護システムは、保護装置を電気機器の内部に備え、本システムの小型化ができ、差込プラグが所定電圧を超える交流電源に差し込まれた場合に電気機器の損傷、破壊を防止することができるので、商品性の向上および経済化が望める。
【図面の簡単な説明】
【図１】本考案に係る交流電源に接続する電気機器の保護システムの保護装置の要部ブロック構成図
【図２】本考案に係る交流電源に接続する電気機器の保護システムの保護装置１の要部ブロック構成図の動作説明図
【図３】本考案に係る交流電源に接続する電気機器の保護システムの保護装置１Ａの回路構成図
【図４】本考案に係る交流電源に接続する電気機器の保護システムの保護装置１Ａの回路構成図の動作説明図
【図５】本考案に係る交流電源に接続する電気機器の保護システムの保護装置１Ｂの回路構成図
【図６】本考案に係る交流電源に接続する電気機器の保護システムの保護装置１Ｃの回路構成図
【図７】本考案に係る交流電源に接続する電気機器の保護システム２の概略構成図
【図８】本考案に係る交流電源に接続する電気機器の保護システム３の概略構成図
【図９】従来の交流電源に接続する電気機器の保護システムの保護装置の要部ブロック構成図
【符号の説明】
１Ａ，１Ｂ，１Ｃ…保護装置、２，３，４…交流電源に接続する電気の保護システム、１０…整流平滑部、１１…高電圧検知部、１２…遅延部、１３…駆動部、１４，１４Ａ，１４Ｂ，１４Ｃ…スイッチ部、２０，４１…差込プラグ、２１，３１，４２…電源コード、２２，３２，４３…電気機器、２３，４４…セット電源回路ブロック、３３…セット電源基板、２４，４５…機器回路ブロック、
ＣＮ１…交流入力端子（交流入出力端子）、ＣＮ２…交流入力端子（交流入出力端子）、ＣＮ１−Ａ，ＣＮ１−Ｂ…交流入力端子、ＣＮ２−Ａ，ＣＮ２−Ｂ…交流出力端子、Ｔｄ…時間、Ｔｓ…遅延時間、Ｖｄ…検知電圧。
0003098863.tif 000003
【手続補正書】
【提出日】平成15年7月31日(2003.7.31)
【手続補正１】
【補正対象書類名】図面
【補正対象項目名】全図
【補正方法】追加
【補正の内容】
【図１】
0003098863.tif 000004
【図２】
0003098863.tif 000005
【図３】
0003098863.tif 000006
【図４】
0003098863.tif 000007
【図５】
0003098863.tif 000008
【図６】
0003098863.tif 000009
【図７】
0003098863.tif 000010
【図８】
0003098863.tif 000011
【図９】
0003098863.tif 000012